(57)【要約】【課題】視覚的な演出効果に優れた遊技機の遊技演出装置を提供する。【解決手段】遊技演出装置５０は、装飾部材における図柄表示手段の上方に配置されている。この遊技演出装置５０は、遊技盤の前面側に臨むレンズ体５２と、このレンズ体５２の後側に設けた光照射部５６と、この光照射部５６の前側に設けた拡散板６２と、レンズ体５２および拡散板６２の間に配置した光拡散機能を有する可動演出体６４と、この可動演出体６４を動作させる駆動部７０とを備えている。【選択図】図６
2008125674.tif 000002
【特許請求の範囲】
【請求項１】
図柄を変動表示させて遊技演出を行なう図柄表示手段が臨む装飾部材に設けられ、機前面側に臨むレンズ体と、このレンズ体の後側に設けられ、該レンズ体へ向けて光を照射可能な光源を備えた光照射部とを有する遊技機の遊技演出装置において、
前記光照射部の前側に設けられ、前記光源から照射した光を透過すると共に拡散する第１の拡散部と、
前記レンズ体および前記第１の拡散部の間に配置され、該レンズ体を介して視認可能であって、前記光源から照射した光を透過すると共に拡散する第２の拡散部と、
前記第２の拡散部に接続され、該第２の拡散部を所定方向に変位させる駆動部とを備えている
ことを特徴とする遊技機の遊技演出装置。
【請求項２】
前記第２の拡散部は、前保持部材と後保持部材とで挟持された状態で前記駆動部に接続され、
前記第２の拡散部、前保持部材および後保持部材が相似形で形成されると共に、後保持部材が前保持部材より大きく形成されている請求項１記載の遊技機の遊技演出装置。
【発明の詳細な説明】
【技術分野】
【０００１】
この発明は、図柄を変動表示させて遊技演出を行なう図柄表示手段が臨む装飾部材に設けられ、機前面側に臨むレンズ体と、このレンズ体の後側に設けられ、該レンズ体へ向けて光を照射可能な光源を備えた光照射部とを有する遊技機の遊技演出装置に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動ゲームを行なう図柄表示手段を臨ませるよう構成される。そして、遊技盤の盤面(遊技領域)に打出された遊技球が、装飾部材の下方位置に配設した始動入賞装置に入賞することにより、図柄表示手段での図柄変動ゲームが行なわれるようになっている。また、多くのパチンコ機では、装飾部材に、演出効果の向上を図るために遊技演出装置が配設されており、図柄変動ゲームに合わせて遊技演出装置に備えた可動体を動作させたり、発光手段を点灯することにより所定の演出を行なうようになっている。
【０００３】
例えば特許文献１に開示されている如く、遊技機の前面側から視認可能な位置に設けられたレンズ体と、このレンズ体の背面側に位置し、レンズ体に対し変位する被視認体とを備える遊技演出装置が提案されている。この遊技演出装置は、被視認体の背後にバックライトを備え、被視認体をレンズ体に対し変位させると共に、バックライトによる発光により所定の演出を行なうよう構成されている。
【特許文献１】特開２００２−２４８２０５号公報
【発明の開示】
【発明が解決しようとする課題】
【０００４】
特許文献１の遊技演出装置では、バックライトの前側に半透明で乳白色の透過板を設けることで、バックライトの光源位置を判り難くする対策が施されているが、透過板がバックライトに近接しているため、充分な効果を発揮することができない。しかし、被視認体をレンズ体に対し変位させるため、透過板をバックライトから離して配置するスペースを確保することが難しく、また透過板を離間配置すると遊技演出装置が大型化する問題を招来する。しかも、被視認体は、単なる透明な立体物であって、光の拡散について何ら配慮されていない。
【０００５】
すなわち本発明は、従来の技術に係る遊技機の遊技演出装置に内在する前記問題に鑑み、これらを好適に解決するべく提案されたものであって、より視覚的な演出効果に優れた遊技機の遊技演出装置を提供することを目的とする。
【課題を解決するための手段】
【０００６】
前記課題を克服し、所期の目的を達成するため、本願の請求項１に係る発明の遊技機の遊技演出装置は、
図柄を変動表示させて遊技演出を行なう図柄表示手段(24)が臨む装飾部材(40)に設けられ、機前面側に臨むレンズ体(52)と、このレンズ体(52)の後側に設けられ、該レンズ体(52)へ向けて光を照射可能な光源(60)を備えた光照射部(58)とを有する遊技機の遊技演出装置において、
前記光照射部(58)の前側に設けられ、前記光源(60)から照射した光を透過すると共に拡散する第１の拡散部(62)と、
前記レンズ体(52)および前記第１の拡散部(62)の間に配置され、該レンズ体(52)を介して視認可能であって、前記光源(60)から照射した光を透過すると共に拡散する第２の拡散部(64)と、
前記第２の拡散部(64)に接続され、該第２の拡散部(64)を所定方向に変位させる駆動部(70)とを備えていることを特徴とする。
請求項１に係る発明によれば、前後の関係で第１の拡散部と第２の拡散部とを二重に配置する構成であるから、光源から照射した光を２つの拡散部により適切に拡散することができる。また、レンズ体を介して視認可能な第２の拡散部は、レンズ体に対する相対位置を変位することで、形状的な見え方が変化するだけでなく、光源との相対位置も変位するから、光の拡散態様も変化する。すなわち、第２の拡散部の形状的な見え方と光の拡散態様との相乗効果により優れた視覚的な演出効果を発揮し得る。
【０００７】
請求項２に係る発明では、前記第２の拡散部(64)は、前保持部材(76)と後保持部材(77)とで挟持された状態で前記駆動部(70)に接続され、
前記第２の拡散部(64)、前保持部材(76)および後保持部材(77)が相似形で形成されると共に、後保持部材(77)が前保持部材(76)より大きく形成されることを要旨とする。
請求項２に係る発明によれば、第２の拡散部を、前保持部材と後保持部材とで挟持して駆動部に接続しているから、接続強度を向上することができる。また、第２の拡散部、前保持部材およびこの前保持部材より大きく形成することで第２の拡散部を介して外形が視認可能な後保持部材が相似形で形成されているから、レンズ体を介して視認される第２の拡散部に立体感を与えることができる。
【発明の効果】
【０００８】
本発明に係る遊技機の遊技演出装置によれば、第２の拡散部を動作させることで、レンズ体を介しての第２の拡散部の視認態様が変化するだけでなく、併せて光源から照射した光の拡散態様も変化するから、両者の相乗効果で優れた演出効果を奏する。
【発明を実施するための最良の形態】
【０００９】
次に、本発明に係る遊技機につき、好適な実施例を挙げて、添付図面を参照して以下に説明する。実施例では、遊技機として、遊技球(パチンコ球)を遊技媒体として使用する一般的なパチンコ機を例にして説明する。なお、以下の説明において、「前」、「後」、「左」、「右」とは、図１に示すように遊技盤を正面から見た状態を基準として指称するものとする。
【実施例】
【００１０】
実施例に係るパチンコ機１０の概略構成について、図１または図２を参照して説明する。図２に示すように、パチンコ機１０は、遊技店に設けられた「島」とも称される設置枠台(図示せず)に固定される外枠１１と、該外枠１１に対して着脱および開閉可能に枢支された中枠(本体枠)１２とを備えている。また中枠１２には、所要の遊技領域２０ａが画成される遊技盤２０が着脱交換可能に取付けられると共に、中枠１２の前面側に着脱および開閉可能に前枠１３が枢支されている。前枠１３は、中枠１２に配設した遊技盤２０を透視保護する透明板１４を備え、この透明板１４の下方位置に遊技球を貯留可能な上球皿１５が組付けられており、前枠１３の開閉に合わせて上球皿１５が一体的に開閉するようになっている。更に、中枠１２の前側における前枠１３の下方には、遊技球を貯留可能な下球皿１６を形成した球皿部材１７が着脱および開閉可能に組付けられている。中枠１２における球皿部材１７の右方位置には、操作ハンドル１８が設けられている(図２参照)。パチンコ機１０では、操作ハンドル１８を操作することで、中枠１２に配設した打球発射機構(図示せず)が作動して上球皿１５に貯留した遊技球を遊技盤２０へ向けて打出すよう構成されている。
【００１１】
図１に示すように、遊技盤２０には、略円形状に湾曲形成した案内レール２３により遊技領域２０ａが画成され、その略中央位置に図柄表示手段２４を後方から臨ませた装飾部材４０が配設されている。また、遊技盤２０の遊技領域２０ａには、始動入賞装置２５、複数(実施例では２つ)の特別入賞装置２６,２６および普通入賞装置２７、発光手段２８、複数の釘２９および風車３０等が配置され、これらの遊技部品により遊技盤２０の盤面が構成されている。なお、遊技盤２０には、遊技領域２０ａの最下部にアウト口２０ｂが開設され、各種の入賞装置２５,２６,２７に入賞しなかった遊技球がアウト口２０ｂから機裏側へ排出されるようになっている。また、パチンコ機１０には、全体的に各装置および手段を制御する制御手段Ｃ(図１１参照)や、各種電気部品等に供給する電源を制御する電源制御装置、その他払出制御装置等の各種制御装置を取付けた機構セット盤(何れも図示せず)が裏側に装備される。
【００１２】
前記パチンコ機１０では、始動入賞装置２５に遊技球が入賞することで、図柄表示手段２４において図柄変動ゲームが開始されて、その結果、特定の図柄組合わせ(例えば、同一図柄の三つ揃)が表示されると、遊技者に有利な特別遊技(所謂大当り)が発生するようになっている。またパチンコ機１０は、大当り遊技において、各特別入賞装置２６の特別入賞口２６ａに設けた可動部材２６ｂを、電磁ソレノイド(図示せず)の駆動により閉鎖状態から開放状態に変動して、特別入賞口２６ａへ遊技球を入賞させることで、上球皿１５に賞球を払出すよう構成される。
【００１３】
前記装飾部材４０は、図１に示す如く、遊技領域２０ａの大部分を占める大型のものであって、図柄表示手段２４を臨ませる開口部４０ａを開設した枠状に構成されている。図３〜図５に示すように、装飾部材４０は、遊技領域２０ａから取込んだ遊技球を始動入賞装置２５に案内するステージ４２ａ、可動演出体(第２の拡散部)６４を備えた遊技演出装置５０、複数の発光手段２８および例えば特定のキャラクタを模した装飾体４８等を備えている。装飾部材４０は、遊技領域２０ａの前面に臨む前フレーム部４２と、遊技演出装置５０や発光手段２８や装飾体４８等の設置基体となる後フレーム部４４と、前フレーム部４２および後フレーム部４４の間に挟持され、各種装飾が施された中フレーム部４６とを組合わせて構成されている(図５参照)。そして、装飾部材４０は、遊技盤２０に開設した取付け開口(図示せず)に整合させて前側から挿入した状態で、遊技盤２０に対してネジ止め固定される。
【００１４】
前記前フレーム部４２は、上部および両側部が遊技盤２０の盤面から前方に突出して遊技領域２０ａにおける壁部分として機能すると共に、下部における内底面がステージ４２ａとして機能するようになっている。ここで、装飾部材４０を遊技盤２０に取付けた際に、前フレーム部４２の下部は、前縁が遊技盤２０の盤面と略同じ位置になるように設定され、ステージ４２ａから遊技領域２０ａへの遊技球の流下が許容されるよう構成される。また、前フレーム部４２の左側部には、遊技領域２０ａに臨む流入口４３ａと、ステージ４２ａに臨む流出口４３ｂとを有し、流入口４３ａおよび流出口４３ｂを連通する通路４３ｃを中フレーム部４６との間に画成する案内部材４３が設けられ、遊技領域２０ａを流下する遊技球をステージ４２ａに案内し得るよう構成される。
【００１５】
図５に示すように、後フレーム部４４には、発光手段２８を構成するＬＥＤ等の光源２８ａを備えた発光基板２８ｂが、上下左右の適宜部位に設置され、発光基板２８ｂの光源２８ａから照射した光により、前フレーム部４２または装飾体４８を介して発光演出を行なうようになっている。また、中フレーム部４６は、後フレーム部４４の上部に配置した発光手段２８における前面のカバーを構成する上半体４６ａと、ステージ４２ａの後方に設けられる貯留球表示器３２のカバー部分をなす下半体４６ｂとから構成される(図５参照)。なお、上半体４６ａの右側部には、後フレーム部４４に配設される遊技演出装置５０の構成部材の挿通を許容する開放口４７が設けられている。
【００１６】
実施例の遊技演出装置５０は、装飾部材４０における図柄表示手段２４の上方右側に配置されている。図６および図７に示すように、遊技演出装置５０は、遊技盤２０(パチンコ機１０)の前面側に臨むレンズ体５２と、このレンズ体５２の後側に設けた光照射部５６と、この光照射部５６の前側に設けた拡散板(第１の拡散部)６２と、レンズ体５２および拡散板６２の間に配置した光拡散機能を有する可動演出体６４と、この可動演出体６４を動作させる駆動部７０とを備えている。図１１に示すように、遊技演出装置５０は、制御手段Ｃにおける演出制御手段Ｃ５の制御下に、駆動部７０が駆動されると共に、制御手段Ｃにおける音・ランプ制御手段Ｃ４の制御下に、光照射部５６が発光制御される。そして、遊技演出装置５０では、図柄表示手段２４等他の演出装置と連動して、可動演出体６４および光照射部５６により所定の演出を行なうよう構成される。
【００１７】
前記レンズ体５２は、無色透明な樹脂やガラス等(実施例では樹脂)からなる部材であって、前面が球面で、後面が略平面で形成されて、周縁部位より中心部位が厚くなる凸レンズが採用されている(図７参照)。また、実施例のレンズ体５２は、正面視における外形が、トランプのハート図柄の形状(所謂ハート形状)で形成され、同様にハート形状の開口５３ａを備えた取付枠５３に、レンズ体５２は外周を囲まれた状態で固定されている(図３参照)。取付枠５３は、外形をハート形状で形成した部材であって、外周から後方へ延出する外枠部５３ｂと、開口縁から後方へ延出する内枠部５３ｃとを備え、内枠部５３ｃには、後側に開放する複数の切欠５３ｄが設けられている(図７参照)。一方、レンズ体５２の外周には、取付枠５３における内枠部５３ｃの切欠５３ｄに対応して、複数の突片５２ａが突出形成されている。
【００１８】
前記レンズ体５２は、各突片５２ａを取付枠５３の切欠５３ｄに対し後側から夫々嵌め合わせて、突片５２ａの通孔に挿通したネジを取付枠５３のネジ孔に螺合することで、レンズ体５２におけるハート形状の外周が、取付枠５３におけるハート形状の開口５３ａに整合した状態で固定される。この状態で、取付枠５３は、外枠部５３ｂの外周に突出形成した取付片５３ｅに開設した通孔にネジを挿通し、このネジを中フレーム部４６の上半体４６ａに設けたネジ孔に螺合することで、上半体４６ａの開放口４７を前側から覆って固定される。そして、装飾部材４０において、取付枠５３の取付片５３ｅは前フレーム部４２で覆われる一方、取付枠５３の少なくとも前面およびレンズ体５２が遊技盤２０の前面に臨み、遊技者から視認可能となっている。なお、取付枠５３は、その表面に光を反射する蒸着等のコーティング処理を行なったり、光を反射する材料で形成することで、光沢を有している。
【００１９】
図７に示すように、光照射部５６、拡散板６２および駆動部７０は、レンズ体５２の外形と同一のハート形状で、かつ外形寸法を若干大きく設定した枠部材５４に夫々配設されている。また、可動演出体６４は、駆動部７０に接続保持されており、枠部材５４を介して光照射部５６、拡散板６２、可動演出体６４および駆動部７０を一体的に取扱い可能となっている。そして、枠部材５４は、後面に突出形成したボス部のネジ孔に対し、後フレーム部４４に開設した通孔に後側から挿通したネジを螺合することで、後フレーム部４４の前面に固定される。これにより、枠部材５４は、中フレーム部４６の上半体４６ａを後フレーム部４４に設置した際に、該上半体４６ａの開放口４７に整合する位置に配置され、上半体４６ａに配設したレンズ体５２に対し、可動演出体６４、拡散板６２および光照射部５６が前後の関係で位置決めされる(図６参照)。なお、枠部材５４は、光を反射し易い白色で形成され、光照射部５６の光源６０から照射した光や、拡散板６２等で反射した光等を更に反射し得るようになっている。
【００２０】
前記光照射部５６は、枠部材５４における右側部の後面に延在する第１発光基板５７と、枠部材５４における上部、下部および左側部の後面に延在する第２発光基板５８との２つの基板から構成されている(図７参照)。各発光基板５７,５８の前面には、前側に配置したレンズ体５２へ向けて光を照射可能な複数の光源６０が適宜位置に配設されている。ここで、枠部材５４には、光源６０の配置に対応して光源開口５４ａが開設され、各発光基板５７,５８を枠部材５４の後面に配設した際に、各光源６０が光源開口５４ａを介して前面に臨むよう構成される。実施例の光照射部５６では、枠部材５４におけるハート形状の中心線を挟んで左右対称に光源６０が配置され、特定の領域に光源６０が偏らないようになっている。光源６０としては、実施例ではフルカラーＬＥＤ(発光ダイオード)が採用され、前述した音・ランプ制御手段Ｃ４による光照射部５６の制御に応じて、各種の色彩および色調で点灯し得るよう構成されている。なお、第２発光基板５８は、枠部材５４の外方に突出しない形状および寸法に設定され、第１発光基板５７は、大部分が枠部材５４の内方に配置されており、音・ランプ制御手段Ｃ４に接続するコネクタ部分のみが枠部材５４の外方に突出している。
【００２１】
前記拡散板６２は、無色透明の薄板状の部材であって、外形が正面視においてハート形状に形成されると共に、外形寸法が枠部材５４の外形と同一に設定されている(図６参照)。また拡散板６２は、枠部材５４に当接する後面を平坦な面で形成する一方、レンズ体５２に臨む前面には不規則な凹凸加工が施されており、後側に位置する光源６０から照射した光を凹凸形状により乱反射するよう構成されている。そして拡散板６２は、外周に突出形成したボス６２ａを、枠部材５４の外周に対応形成したボス受部５４ｂに嵌合すると共に、ボス受部５４ｂに後側から挿通したネジをボス６２ａのネジ孔に螺合することで、枠部材５４に対し固定される。このとき、拡散板６２は、枠部材５４の前面に整合して、枠部材５４を全面的に覆った状態となっている。
【００２２】
前記可動演出体６４は、光を拡散するための拡散シート６６と、この拡散シート６６の前面に配置され、適宜の模様が施された装飾シート６７とを重ね合わせて構成され、レンズ体５２を介して視認可能な薄いシート状物である(図７参照)。拡散シート６６および装飾シート６７は、何れも外形がハート形状に形成され、装飾シート６７は、拡散シート６６より小さくなるように設定される。また、可動演出体６４の外形をなす拡散シート６６は、拡散板６２およびレンズ体５２の外形寸法より小さく設定されるが、枠部材５４の内側に分散配置された複数の光源６０の前面を全て覆い得る寸法に設定されている。拡散シート６６は、前面に細かい凹凸を設けた所謂梨地とされ、後側に位置する光源６０から照射した光およびレンズ体５２や拡散板６２で反射した光を、当該凹凸により反射することで光を拡散するよう構成されている。更に、拡散シート６６は、凹凸が規則的に並ぶようにカット加工を行なうことで、光を単に拡散するだけではなく、光を所定方向に屈折させることで光源像を拡大または縮小あるいは歪ませるレンズシートとしての機能も有している。一方、装飾シート６７は、基本的には無色透明な薄板であって、外周に沿って前記取付枠５３と同じ色彩で縁取り模様が施されている。なお、拡散シート６６の凹凸形状は、拡散板６２の凹凸形状より細かくなっている。
【００２３】
前記駆動部７０は、駆動源であるモータＭと、このモータＭの回転駆動を可動演出体６４の前後動作に変換して伝達する連繋手段７２とから構成される(図７参照)。モータＭは、ギヤーモータが採用され、枠部材５４の右部後面に配設した取付台６８に、回転軸Ｍ１を左側に臨ませた状態で設置され、演出制御手段Ｃ５の制御下に回転駆動される。
【００２４】
前記連繋手段７２は、回転軸Ｍ１の先端に同軸的に固定したカム部材７３と、このカム部材７３に連動する従動部材７４と、枠部材５４の中心に設けた軸開口(図示せず)に挿通され、後端を従動部材７４に接続すると共に、前端を前保持部材７６との間に可動演出体６４を保持した後保持部材７７の後面に接続した軸部材７５とを備えている(図７参照)。カム部材７３は、モータＭの回転に伴って回転する部材であって、軸心から半径方向外側に偏倚した部位に、左側へ向けて偏心ピン７３ａが突出形成されている。偏心ピン７３ａは、従動部材７４の右側部に開設されて上下方向に長辺が延在する長溝７４ａに摺動自在に挿入されている。従動部材７４は、枠部材５４の後面に形成した上下左３面の壁部５４ｃで保持されて、上下および左側への移動が規制され、右側部の長溝７４ａに挿入した偏心ピン７３ａが、カム部材７３の回転により長溝７４ａに沿って上下に変動しつつ前後方向に変動するのに伴って、長溝７４ａの前後縁が押されることで、前後方向へ往復動作を行なうようになっている(図８〜１０参照)。
【００２５】
前記前保持部材７６および後保持部材７７は、何れも外形がハート形状で形成され、後保持部材７７が前保持部材７６より大きく形成されている(図７参照)。すなわち、後保持部材７７の外形は、レンズ体５２等で反射した光を受けて可動演出体６４を介して視認可能となっている。具体的には、前保持部材７６の後面中央には、側部に非対称な突起を有するボス片７６ａが突設されている。一方、可動演出体６４および後保持部材７７の中央には、このボス片７６ａに対応した形状で取付口６４ａ,７７ａが開設されている。そして、ボス片７６ａを可動演出体６４の前側から当該可動演出体６４の取付口６４ａに挿通した後、後保持部材７７の取付口７７ａに挿入して、後保持部材７７の後側からボス片７６ａのネジ孔にネジを螺合することで、可動演出体６４が前保持部材７６と後保持部材７７とで挟持される。なお、ボス片７６ａは、非対称な突起を有しているから、可動演出体６４、前保持部材７６および後保持部材７７の上下左右方向が間違っていると、各部材６４,７６,７７を組付けることができない。
【００２６】
前記軸部材７５は、後保持部材７７と同一寸法のハート形状に形成された前端部７５ａと、枠部材５４の軸開口に挿通する軸部７５ｂとを有し、枠部材５４の後側において壁部５４ｃに保持した従動部材７４と、枠部材５４の前側に配置され、前後の保持部材７６,７７で挟持した可動演出体６４とを連結している(図７参照)。すなわち、モータＭの駆動により従動部材７４が前側に変位されると(図９参照)、可動演出体６４は、拡散板６２から離間すると共にレンズ体５２に近接するよう構成される。これに対し、従動部材７４が後側に変位されると(図１０参照)、可動演出体６４は、拡散板６２に近接すると共にレンズ体５２から離間するように、前後に直線的に動作される。ここで、拡散板６２の中央部および枠部材５４の中央部には、後保持部材７７および軸部材７５の前端部７５ａに対応して、挿通口６２ｂおよび凹部５４ｄが夫々設けられ、可動演出体６４が最も後側に変位した際に、挿通口６２ｂおよび凹部５４ｄに後保持部材７７および軸部材７５が受容される。
【００２７】
前記遊技演出装置５０では、前後の関係で同軸的に配設される部材である、取付枠５３の外形、取付枠５３の開口５３ａ、レンズ体５２の外形、可動演出体６４の外形、拡散板６２の外形および枠部材５４の外形が相似形で形成されている(図７参照)。また、前保持部材７６および後保持部材７７についても、可動演出体６４の外形と相似形で形成されると共に、可動演出体６４における装飾シート６７の模様および前保持部材７６の前面に施された模様も、可動演出体６４の外形に合わせてある。このように、遊技演出装置５０では、可動演出体６４の外形に合わせて、各部材の形状および模様を定めてある。更に、各部材の取付部分は、演出部分を構成するハート形状の外側に設けられ、遊技盤２０の前側から視認できないようになっている。
【００２８】
前記遊技演出装置５０は、可動演出体６４の原点位置を検出する位置検出手段７８を備えている(図９または図１０参照)。位置検出手段７８は、枠部材５４における下側に延在する壁部５４ｃの下方に設置した基板台６９に配設され、上面にフォトセンサ８０を備えるセンサ基板７９と、従動部材７４の下面に突出形成され、壁部５４ｃの切欠部分を介してフォトセンサ８０に臨む検出片７４ｂとから構成される。検出片７４ｂは、従動部材７４(可動演出体６４)の前後動作につれて前後方向に変位し、可動演出体６４が最も前の位置に変位した際に(図９参照)、検出片７４ｂがフォトセンサ８０の発光部と受光部との間に位置するように設定され、このときフォトセンサ８０により検出片７４ｂが検出される。そして、可動演出体６４が、その他の位置に変位することで(図１０参照)、検出片７４ｂがフォトセンサ８０における受光部と発光部との間から外れて、位置検出手段７８において可動演出体６４が変位状態にあることが判別される。なお、実施例では、フォトセンサ８０により検出されている状態が原点位置とされる。
【００２９】
図１１に示すように、制御手段Ｃは、メイン制御手段Ｃ１、サブ統括制御手段Ｃ２、表示制御手段Ｃ３、音・ランプ制御手段Ｃ４および演出制御手段Ｃ５等を電気的に接続して構成される。制御手段Ｃでは、メイン制御手段Ｃ１の制御信号を受けたサブ統括制御手段Ｃ２が、大当り図柄等に合わせた制御信号に変換して、図柄表示手段２４や発光手段２８等の演出に係る装置の制御手段Ｃ３,Ｃ４,Ｃ５に出力するようになっている。そして、演出に係る装置の制御手段Ｃ３,Ｃ４,Ｃ５の制御下に、図柄表示手段２４、遊技演出装置(モータＭ,光照射部５６)５０、スピーカ３１および発光手段２８等の各装置を連動させて、全体として相乗的な演出効果を発現するよう構成されている。
【００３０】
前記表示制御手段Ｃ３は、サブ統括制御手段Ｃ２のコマンドに基づいて、図柄表示手段２４による画像等の演出を制御している。また、音・ランプ制御手段Ｃ４は、音楽や音声等を出力するスピーカ３１、装飾部材４０や入賞装置２５,２６,２７に組込まれた発光手段２８および遊技演出装置５０に設けられた光照射部５６に電気的に接続されている。そして、音・ランプ制御手段Ｃ４では、サブ統括制御手段Ｃ２から入力されたコマンドに基づいて、音および光による演出を制御している。演出制御手段Ｃ５は、遊技演出装置５０の位置検出手段７８およびモータＭに電気的に接続されている。演出制御手段Ｃ５では、位置検出手段７８で検出した位置情報およびサブ統括制御手段Ｃ２から入力されたコマンドに基づいて、他の演出(特に光照射部５６)に合わせて可動演出体６４に所定の演出動作を行なわせるようにモータＭを制御している。
【００３１】
〔実施例の作用〕
次に、実施例に係るパチンコ機の遊技演出装置の作用について説明する。遊技演出装置５０は、通常遊技(例えば、リーチアクション)や大当り遊技等の所定条件となった際に、制御手段Ｃの制御により作動される。遊技演出装置５０の演出としては、可動演出体６４を動作させると共に光照射部５６による発光演出を行なう態様、可動演出体６４のみを動作させる態様および光照射部５６による発光演出のみを行なう態様があり、遊技の状況に合わせて適宜に選択される。ここで、可動演出体６４を動作させると共に光照射部５６による発光演出を行なう遊技演出装置５０の演出態様について説明する。
【００３２】
前記遊技演出装置５０は、待機状態において、可動演出体６４が最も前側に位置した状態で停止され、このときフォトセンサ８０により検出片７４ｂが検出されることで、可動演出体６４が原点位置にあることが判定される(図９参照)。メイン制御手段Ｃ１からの制御信号がサブ統括制御手段Ｃ２により変換されて、音・ランプ制御手段Ｃ４および演出制御手段Ｃ５に入力されると、この制御信号に基づき音・ランプ制御手段Ｃ４は、光照射部５６における各光源６０を所要の色彩および色調で、かつ所要のタイミングで発光制御する。同時に、演出制御手段Ｃ５は、入力された制御信号に基づき、モータＭを駆動制御する。
【００３３】
前記遊技演出装置５０において、モータＭが駆動されると、回転軸Ｍ１を介してカム部材７３が回転する。カム部材７３の偏心ピン７３ａが挿入されている従動部材７４の長溝７４ａは、該偏心ピン７３ａの上下方向の変位を許容するものの、偏心ピン７３ａの前後方向の変位に際して溝縁が当接するので、従動部材７４は、偏心ピン７３ａの回転変位のうち前後方向の変位にだけ追随して枠部材５４の壁部５４ｃに沿って前後に変位する。そして、従動部材７４の動作につれて、可動演出体６４も前後方向に動作する。この際、検出片７４ｂがフォトセンサ８０から外れることで、検出片７４ｂが被検出状態に移行したことが検出され、演出制御手段Ｃ５で可動演出体６４が動作していることが判定される(図１０参照)。そして、メイン制御手段Ｃ１からの制御信号がサブ統括制御手段Ｃ２により変換されて、演出制御手段Ｃ５に入力されると、この制御信号に基づき、位置検出手段７８による可動演出体６４の原点位置の検出を条件としてモータＭが停止され、可動演出体６４による演出が終了する。
【００３４】
前記可動演出体６４が前後方向へ動作することで、可動演出体６４とレンズ体５２との距離が変化するから、レンズ体５２を介して視認される可動演出体６４の像が拡縮あるいは変形等する。すなわち、実際に可動演出体６４が変位する以上に、可動演出体６４が変化しているように遊技者に対し認識させることができる。従って、可動演出体６４の変位距離が小さくても、可動演出体６４の動作による高い演出効果を付与することができ、遊技演出装置５０を小型化し得るから、装飾部材４０の後側に配置される球タンクや制御手段Ｃを収容したケース(何れも図示せず)等の他の部材との干渉を防ぎ、スペースの有効利用を図り得る。また、実施例の可動演出体６４は、シート状物であるから、遊技演出装置５０をよりコンパクトにし得ると共に、駆動部７０に対する負荷を軽減し得る。更に、可動演出体６４の変位範囲を広く取ることも可能である。
【００３５】
一方、光照射部５６では、音・ランプ制御手段Ｃ４の制御下に、可動演出体６４の動作に合わせて、複数の光源６０が発光される。この際、拡散板６２および可動演出体６４の拡散シート６６は、表面に凹凸加工を施してあるから、立体的な形状による屈折率の違いや、異なる方向を向く複数の反射面により、光源６０から照射した光が拡散される。ここで、遊技演出装置５０では、拡散板６２と光拡散機能を有する可動演出体６４とを、光源６０の前側を覆うように前後の関係で多重に配置する構成であるから、光源６０から照射した光を２つの拡散のための部材により適切に拡散することができ、光の出所をより判別し難くできる。しかも、可動演出体６４の拡散シート６６は、前面の微細な凹凸によりレンズシートとしての機能も有しているから、透過する光を所定方向に屈折させることで光源像を拡大または縮小あるいは歪ませることができる。これにより、少ない光源６０であっても、レンズ体５２全体から発光しているように遊技者に視認させることができ、光による演出効果を向上し得る。
【００３６】
前記レンズ体５２を介して視認可能な可動演出体６４は、レンズ体５２に対する相対位置を変位することで、形状的な見え方が変化するだけでなく、光源６０との相対位置も変位するから、光の拡散態様も変化する。すなわち、可動演出体６４の形状的な見え方と光の拡散態様との相乗効果により優れた視覚的な演出効果を発揮し得る。
【００３７】
前記可動演出体６４、前保持部材７６および後保持部材７７は、ハート形状の相似形であって、後保持部材７７は、前保持部材７６より大きく形成してあるから、レンズ体５２等で反射した光により可動演出体６４を介して後保持部材７７の外形を視認することができる。このため、可動演出体６４では、前後の関係で同軸的に位置する相似形の前保持部材７６および後保持部材７７との間で視差が生じるから、シート状物であってもレンズ体５２を介して視認される像に立体感を付与し得る。ここで、遊技演出装置５０では、可動演出体６４(拡散シート６６および装飾シート６７)、前保持部材７６および後保持部材７７を一体的に変位させる構成であるから、立体感をより強調し得る。しかも、レンズ体５２、このレンズ体５２の周縁を保持する取付枠５３および拡散板６２も、可動演出体６４と相似形で形成してあるから、更に立体感を強調し得る。そして、光源６０からの光の照射によっても、立体感が強調される。また、可動演出体６４を、前保持部材７６と後保持部材７７とで挟持して駆動部７０に接続しているから、接続強度を向上することができる。なお、前保持部材７６は可動演出体６４より小さいので、可動演出体６４の光拡散機能への影響を最小限に抑え得る。
【００３８】
(変更例)
(１)実施例では、遊技機としてパチンコ機を例に挙げたが、アレンジボールやスロットマシン等他の遊技機でも、本発明の遊技演出装置を採用し得る。
(２)遊技演出装置は、装飾部材における上下左右の適宜位置に配置することができる。
(３)実施例の可動演出体はハート形状としたが、これに限定されず、図柄表示手段の演出内容や遊技機自体のモチーフに応じた適当な形状を採用し得る。
(４)実施例のレンズ体は、無色透明であるが、有色透明であってもよい。また、実施例のレンズ体は、凸レンズを採用したが、凹レンズであってもよい。
(５)実施例では、光源としてフルカラーＬＥＤを採用する例を挙げたが、単色のＬＥＤやその他ランプであってもよい。
(６)拡散板および拡散シートに施す光拡散処理としては、ディンプル加工、シボ加工、溝加工、サンドブラスト加工、ショットブラスト加工等を用いて、表面に凹凸形状を設ける態様や、酸化チタン等の反射性の微粒子を含有する材料から形成する態様等を採用し得る。また、光拡散処理としては、表面に反射性の微粒子を含む層をコーティングしたり、コーティングにより表面に凹凸形状を設ける態様であってもよい。
(７)実施例では、駆動部の駆動手段としてモータを用いたが、これに限定されず、電磁ソレノイドやその他の駆動手段を採用することも可能である。
(８)実施例では、可動演出体を前後方向に動作させる構成であるが、レンズ体および光照射部との位置関係を変位し得るのであれば、可動演出体を回転または揺動等その他不規則に動作させてもよい。
【００３９】
(９)レンズシートとしての機構を有する拡散シートとしては、断面が略直角三角形状のプリズムを斜辺が中心から外(内)方向に向かうようにして同心円状に配置したフレネルレンズシートや、所定の領域に断面が略三角形状のプリズムを複数並列に配置したプリズムレンズシートや、所定の領域に断面が略蒲鉾形状のレンチキュラーレンズを複数並列に配置したレンチキュラーレンズシート等を採用し得る。このように、拡散シートにレンズシート機能を持たせることで、光拡散性をより向上し得ると共に、可動演出体を前後動作して光源との距離を変化させることで、拡散態様の変化を顕著にすることができる。また、プリズム、レンチキュラーレンズの配置方向と光源との角度に応じて、光源像が映る領域と映らない領域とを設けることができ、可動演出体を前後動作して光源との距離を変化させることで、光源像の映る領域と映らない領域の位置を変化させ得る。
【００４０】
(付記１)
前記レンズ体(52)、このレンズ体(52)の周縁を保持する取付枠(53)および前記第１の拡散部(62)が、前記第２の拡散部(64)と相似形で形成されている。
付記１に係る発明によれば、レンズ体、このレンズ体の周縁を保持する取付枠および第１の拡散部も、第２の拡散部と相似形で形成してあるから、更に立体感を強調し得る。
【００４１】
(付記２)
前記第２の拡散部(64)は、前記光源(60)を覆うように配置されている。
付記２に係る発明によれば、第２の拡散部を、光源を覆うように配置したから、光の出所をより判別し難くできる。
【００４２】
(付記３)
前記第２の拡散部(64)は、シート状物である。
付記３に係る発明によれば、第２の拡散部を、シート状物とすることで、装置をよりコンパクトにし得る。また、第２の拡散部の変位範囲を広く取ることが可能である。
【図面の簡単な説明】
【００４３】
【図１】本発明の好適な実施例に係るパチンコ機の遊技演出装置を備える遊技盤を示す正面図である。
【図２】実施例のパチンコ機を示す正面図である。
【図３】実施例の遊技演出装置が配設される装飾部材を示す正面図である。
【図４】実施例の遊技演出装置が配設される装飾部材を示す平面図である。
【図５】実施例の遊技演出装置が配設される装飾部材を分解して示す概略斜視図である。
【図６】実施例の遊技演出装置を示す概略斜視図である。
【図７】実施例の遊技演出装置を分解して示す概略斜視図である。
【図８】実施例の遊技演出装置の可動演出体と駆動部との関係を前側から示す概略斜視図である。
【図９】実施例の遊技演出装置において、可動演出体が最も前側に位置している状態を示し、(ａ)は可動演出体と駆動部との関係を後側から示す概略斜視図であり、(ｂ)は可動演出体と駆動部との関係を示す側面図である。
【図１０】実施例の遊技演出装置において、可動演出体が最も後側に位置している状態を示し、(ａ)は可動演出体と駆動部との関係を後側から示す概略斜視図であり、(ｂ)は可動演出体と駆動部との関係を示す側面図である。
【図１１】実施例のパチンコ機の制御ブロック図である。
【符号の説明】
【００４４】
２４ 図柄表示手段
４０ 装飾部材
５２ レンズ体
６０ 光源
５６ 光照射部
６２ 拡散板(第１の拡散部)
６４ 可動演出体(第２の拡散部)
７０ 駆動部
７６ 前保持部材
７７ 後保持部材
【図１】
2008125674.tif 000003
【図２】
2008125674.tif 000004
【図３】
2008125674.tif 000005
【図４】
2008125674.tif 000006
【図５】
2008125674.tif 000007
【図６】
2008125674.tif 000008
【図７】
2008125674.tif 000009
【図８】
2008125674.tif 000010
【図９】
2008125674.tif 000011
【図１０】
2008125674.tif 000012
【図１１】
2008125674.tif 000013